(57)【要約】【課題】  １巻目と２巻目との間に蓋を差込む形式の紙巻器において、蓋の装着が容易である紙巻器を提供することを課題とする。【解決手段】  紙巻器１０は、紙巻器基部１１の基部裏面１２を壁１３にねじ３４、３５で固定し、基部上面１４の下方で、且つ両端側の基部側面部１５、１５（図手前側の基部側面部１５は図示せず。）の内側の左右一対の回転板２０、２０（図手前側の回転板２０は図示せず。）に蓋１６を掛け渡して取付けると共に、紙巻器基部１１に巻紙１８を支える支軸２１を取付け、この支軸２１に回転可能に巻紙１８を取付け、この巻紙１８の人手で摘む１巻目とその下の２巻目との間に蓋１６の刃１７を差込み、この刃１７で１巻目をカットする形式の装置である。【選択図】      図２
2005230104.tif 000002
【特許請求の範囲】
【請求項１】
壁に固定する紙巻器基部に蓋を取付けると共に巻紙を支える支軸を取付け、この支軸に回転可能に巻紙を取付け、人手で摘む巻紙の１巻目とその下の２巻目との間に蓋を差込み、この蓋の先端で前記１巻目をカットする形式の紙巻器において、
前記蓋は、前記支軸を中心に、支軸の下方位置から上方位置まで回転自在に前記紙巻器基部に取付けたことを特徴とする紙巻器。
【請求項２】
前記蓋は、前記紙巻器基部に回転可能に取付けた左右一対の回転板に掛け渡したことを特徴とする請求項１記載の紙巻器。
【請求項３】
壁に固定する紙巻器基部に蓋を取付けると共に巻紙を支える支軸を取付け、この支軸に回転可能に巻紙を取付け、人手で摘む巻紙の１巻目とその下の２巻目との間に蓋を差込み、この蓋の先端で前記１巻目をカットする形式の紙巻器において、
前記蓋は、前記紙巻器基部にスイング可能に取付けた左右一対のスイング腕部材に掛け渡したことを特徴とする紙巻器。
【発明の詳細な説明】
【技術分野】
【０００１】
本発明はトイレットぺーパーに代表される巻紙を支える紙巻器に関するものである。
【背景技術】
【０００２】
水洗式トイレの普及に伴って、水溶性の巻紙が使用され、この巻紙を支える紙巻器（ペーパーホルダーとも呼ばれる。）が、トイレルームの壁に常備される様になってきた。
【０００３】
紙巻器は、壁に固定する紙巻器ケースに、巻紙を支える支軸及び上下スイング可能に蓋を取付け、この蓋を巻紙の上に載せる構造が広く採用されている。
トイレ利用者は、一方の手で巻紙を必要長さ引出し、他方の手で蓋を押え、この蓋の先端で巻紙を切断する如くに両手で巻紙及び紙巻器を操作する。
【０００４】
しかし、片手が不自由であるトイレ利用者が、従来の紙巻器を利用しようとすると、蓋が宙に浮いて巻紙が切断できないという不都合が発生する。
そこで、片手のみで操作可能な紙巻器が求められ、この要望に応える提案がなされている。（例えば、特許文献１）。
【特許文献１】実開昭６０−１２６０９１号公報
【０００５】
特許文献１を次図に基づいて説明する。
図１２は従来の技術の基本構成を説明する図であり、ロールペーパーホルダー１００のロールペーパー支持部は、支持台１０１と軸１０２とからなり、支持台１０１には軸１０２を取付ける切欠１０３、軸受１０４、軸逸脱防止壁１０５を設けた。また、取付け孔１０６は、押板１０７を取付けるための穴である。
【０００６】
ロールペーパー切断部は、押板１０７と押板受兼用の切断板１０８の２枚の蓋からなり、押板１０７の裏面にロールペーパー押えパッド１０９を備え、押板受兼用の切断板１０８の前面に切断刃１１０、両横面に軸押え兼用のロールペーパー左右移動防止脚１１１、１１１、中央部に引出口１１２を備えた。
なお、１１３は切断板取付け孔、１１４は押板取付孔、１１５は取付け棒、１１６はロールペーパーである。
【０００７】
図１３は図１２の作用を説明する図であり、ロールペーパーホルダー１００のロールペーパー１１６は、軸１０２に巻胴１１７を取付け、壁１１８にねじ１１９、１１９で固定した支持台１０１と取付け棒１１５で連結した押板１０７及び押板受兼用の切断板１０８の間の引出口１１２から片手でロールペーパー１１６の先端１２０を矢印Ａの方向に必要量引出した後、押板１０７をもう一方の片手で押え、片手で持ったロールペーパー１１６の先端１２０を切断刃１１０で切り落すことにより、供給される。
【０００８】
しかし、特許文献１のロールペーパーホルダー１００では、新しいロールペーパー１１６を取付ける際に、ロールペーパー１１６の先端１２０を押板１０７と押板受兼用の切断板１０８の間の引出口１１２から引出す必要があり、ロールペーパー１１６の補充に多いに手間がかかる。
【発明の開示】
【発明が解決しようとする課題】
【０００９】
本発明は、１巻目と２巻目との間に蓋を差込む形式の紙巻器において、蓋の装着が容易である紙巻器を提供することを課題とする。
【課題を解決するための手段】
【００１０】
請求項１に係る発明では、壁に固定する紙巻器基部に蓋を取付けると共に巻紙を支える支軸を取付け、この支軸に回転可能に巻紙を取付け、人手で摘む巻紙の１巻目とその下の２巻目との間に蓋を差込み、この蓋の先端で１巻目をカットする形式の紙巻器において、
蓋は、支軸を中心に、支軸の下方位置から上方位置まで回転自在に紙巻器基部に取付けたこと特徴とする。
【００１１】
請求項２に係る発明では、蓋は紙巻器基部に回転可能に取付けた左右一対の回転板に掛け渡したことを特徴とする。
【００１２】
請求項３に係る発明では、壁に固定する紙巻器基部に蓋を取付けると共に巻紙を支える支軸を取付け、この支軸に回転可能に巻紙を取付け、人手で摘む巻紙の１巻目とその下の２巻目との間に蓋を差込み、この蓋の先端で１巻目をカットする形式の紙巻器において、
蓋は、紙巻器基部にスイング可能に取付けた左右一対のスイング腕部材に掛け渡したことを特徴とする。
【発明の効果】
【００１３】
請求項１に係る発明では、巻紙は、蓋を下方位置に置いた状態で支軸に取付け、蓋をしだいに上方位置に時計回りに回転していく過程で巻紙の先端部を蓋の刃に引っ掛けて、蓋を上方位置に止めた状態で巻紙の人手で摘む１巻目とその下の２巻目との間に蓋の刃を差込み、巻紙を直ぐにカットできる位置で取付け完了となる。
巻紙は、回転自在に紙巻器基部に取付けた蓋を下方位置から上方位置に回転して上方位置に固定するだけで、直ぐに使用できる状態に取付けることができるという利点がある。
【００１４】
請求項２に係る発明では、蓋を回転板に掛け渡したので、蓋は回転板の回転と共に下方位置から上方位置に動かすことができる。回転板は回転姿勢が安定し、回転中にアンバランスになる心配がないので、蓋の移動が円滑に行えるという利点がある。
【００１５】
請求項３に係る発明では、蓋は紙巻器基部にスイング可能に取付けた左右一対のスイング腕部材に掛け渡した。
蓋をスイング腕部材に掛け渡したので、蓋はスイング腕部材の回転と共に下方位置から上方位置に動かすことができる。
また、スイング腕部材はＵ字状で部品面積が小さくても可動できるため、製造コストを低減することができるという利点がある。
【発明を実施するための最良の形態】
【００１６】
本発明を実施するための最良の形態を添付図に基づいて以下に説明する。なお、図面は符号の向きに見るものとする。
図１は本発明に係る紙巻器の斜視図であり、紙巻器１０は、紙巻器基部１１の基部裏面１２を壁１３に固定し、基部上面１４の下方で、且つ両端側の基部側面部１５、１５の内側に蓋１６を取付けると共に、蓋１６の先端に取付けた刃１７の上側から巻紙１８の先端部１９を被せて使用状態とする装置である。
また、蓋１６は紙巻器基部１１に回転可能に取付けた左右一対の回転板２０、２０に掛け渡した（図１では掛け渡した部位が不明である）。
【００１７】
図２は図１の断面図であり、紙巻器１０は、紙巻器基部１１の基部裏面１２を壁１３にねじ３４、３５で固定し、基部上面１４の下方で、且つ両端側の基部側面部１５、１５（図２の手前側の基部側面部１５は図示せず。）の内側の左右一対の回転板２０、２０（図２の手前側の回転板２０は図示せず。以下同じ。）に蓋１６を掛け渡して取付けると共に、紙巻器基部１１に巻紙１８を支える支軸２１を取付け、この支軸２１に回転可能に巻紙１８を取付け、この巻紙１８の人手で摘む１巻目とその下の２巻目との間に蓋１６の刃１７を差込み、この刃１７で１巻目と２巻目の境目４７で１巻目をカットする形式の装置である。
【００１８】
また、蓋１６は、蓋底部２４を巻紙の一上面部２５に接触させ、蓋端部２６を蓋固定軸２７に固定し、この蓋固定軸２７を左右一対の回転板２０、２０に結合することで、回転板２０、２０に掛け渡される。
【００１９】
なお、蓋固定軸２７、回転板連結軸２８及び回転板連結軸２９、３１は、補強目的も兼ねているが、蓋固定軸２７と回転板連結軸２８は共通でも良く、また、回転板連結軸２９と３１は共通でも良い。さらに、これら軸固定軸２７、回転板連結軸２８、回転板連結軸２９、３１は板状でも良い。
【００２０】
さらに、巻紙１８は、回転板連結軸２８及び蓋端部２６を介して刃１７の上側から巻紙１８の先端部１９を被せた状態で使用状態として待機する。
２２は支軸支え、２３は巻紙１８の巻胴、３２は回転板内側端部、３３は基部側面窓、３４、３５は固定ねじである。
【００２１】
図３は図１の縦断面図であり、紙巻器１０は、紙巻器基部１１と、この紙巻器基部１１の基部上面１４と、この基部上面１４の両端側に備えた基部側面部１５、１５と、この基部側面部１５、１５の内側に備える回転板２０、２０と、この回転板２０、２０に掛け渡した蓋１６（断面であるので蓋固定軸２７は図示せず。）と、左右の基部側面部１５の側面部外側３７と側面部内側３８の間にあり左右一対の支軸２１、２１を支える支軸支え２２、２２と、支軸２１、２１を回動する回転軸３６、３６とで構成した。
【００２２】
なお、２３は巻紙１８の巻胴、３９、４１は支軸支え２２、２２と側面部外側３７、３７との結合部である。
【００２３】
図４は図３の４−４矢視図であり、回転板２０の詳細を説明するためのものであり、図示しない蓋１６が支軸２１の上方位置にある場合を示す。
回転板２０は、蓋固定軸２７、回転板連結軸２８、回転板連結軸２９、３１と、貫通穴４２、４３と、これらの貫通穴４２、４３を連結するスライド溝４４とからなる構造とした。
なお、回転板内側端部３２から見える２２は支軸支え、３３は基部側面窓である。
【００２４】
図５は回転板と基部側面部との結合を説明する分解斜視図であり、回転板２０は貫通穴４２、４３とこれらの貫通穴４２、４３を連結する浅いスライド溝４４を有し、蓋１６が上方位置にある場合である。
一方、基部側面部１５の側面部外側３７と側面部内側３８の内部にはストッパー４５があり、このストッパー４５の先端には側面部内側３８側に突抜けたピン４６がある。
【００２５】
この状態で、矢印Ｂの如く回転板２０の貫通穴４２とピン４６を嵌合させるが、ピン４６の先端は、貫通穴４２から突抜けて図示しない巻紙１８側に出てはいけない。
後で説明するが、図示しない巻紙１８を交換する場合は、回転板２０をわずかに回転させ、ピン４６を貫通穴４２からはずし、続いて回転板２０を回転させ、ピン４６をスライド溝４４に沿って貫通穴４３に嵌合するまで移動させる。
この結果、迅速な巻紙交換を行うことが可能になる。
【００２６】
図６は蓋を下方位置に置いて巻紙の取付けから蓋の上方位置への移動の初期を示す作用図である。
（ａ）は巻紙１８を紙巻器基部１１に入れる前の回転板２０の状態を示す図であり、紙巻器基部１１に取付けた回転板２０において、図５に示した貫通穴４３とピン４６を嵌合させ、蓋１６を下方位置に置いた場合を示す。（ａ）は、回転板２０が下方位置に蓋固定軸２７に固定した蓋１６を配置し、新しい巻紙１８を矢印Ｃの如く移動させ、巻胴２３を支軸支え２２に取付けた支軸２１に取付ける前の状態を示す。
【００２７】
（ｂ）は巻紙１８の巻胴２３と支軸２１が接触し、巻胴２３が支軸２１を（ａ）の状態から９０°垂直方向へ押し動かし、巻胴２３と支軸２１が嵌合する直前の状態を示す。
【００２８】
（ｃ）は巻胴２３と支軸２１が嵌合して巻紙１８の取付けを完了した後で、巻紙１８の先端部１９を矢印Ｄの如く引出し、回転板２０の蓋固定軸２７に取付けた蓋１６を矢印Ｅの如く上方へ回転させる初期段階を示す。
【００２９】
このように、巻紙１８の先端部１９を矢印Ｄのように引出してから蓋１６を矢印Ｅの如く回転させて上方へ移動させるので、後で記述するが、巻紙１８は回転板連結軸２８を介して蓋１６の刃１７の上方に接触した使用状態で先端部１９を待機させることができる。
【００３０】
図７は蓋を上方位置へ移動して固定し巻紙の先端部を切取る作用図である。
（ａ）は蓋１６が下方位置から上方位置へ動きだし、下方位置から上方位置への移動のほぼ中間位置にある状態を示す。回転板２０の蓋固定軸２７に取付けた蓋１６は、回転板２０の回転と共に刃１７を巻紙１８の先端部１９と接触させながら、さらに矢印Ｆの如く回転して上方位置に移動する。
【００３１】
（ｂ）は蓋１６を上方位置に固定し図５に示す貫通穴４２とピン４６が嵌合した状態を示す。すなわち、回転板２０の蓋固定軸２７に取付けた蓋１６の刃１７に接触する巻紙１８の先端部１９は、いつでも使用できる状態で待機する。
【００３２】
（ｃ）は上方位置に固定した蓋１６の刃１７に接触した巻紙１８の先端部１９を矢印Ｇの如く引出し矢印Ｈの如く切取る作用を示す。
【００３３】
以上のように、回転板２０の蓋固定軸２７に取付けた蓋１６は、回転板２０の回転動作と共に下方位置から上方位置へ移動でき、巻紙１８の先端部１９を直ぐに使用できる状態に待機させることができる。
【００３４】
図８は図１の別実施例を示す図であり、紙巻器５０は、紙巻器基部１１の基部裏面１２を壁１３に固定し、基部上面１４の下方で、且つ両端側の基部側面部１５、１５の内側に蓋１６を取付けると共に、蓋１６の先端に取付けた刃１７の上側から巻紙１８の先端部１９を被せて使用状態とする装置である。
また、蓋１６は紙巻器基部１１に回転可能に取付けた左右一対のスイング腕部材５１、５１に掛け渡した（図１では掛け渡した部位が不明である）。
【００３５】
図９は図８の断面図であり、紙巻器５０は、紙巻器基部１１の基部裏面１２を壁１３にねじ３４、３５で固定し、基部上面１４の下方で、且つ両端側の基部側面部１５、１５（図９の手前側の基部側面部１５は図示せず。）の内側の左右一対のスイング腕部材５１、５１（図９の手前側のスイング腕部材５１は図示せず。以下同じ。）に蓋１６を掛け渡して取付けると共に、紙巻器基部１１に巻紙１８を支える支軸２１を取付け、この支軸２１に回転可能に巻紙１８を取付け、この巻紙１８の人手で摘む１巻目とその下の２巻目との間に蓋１６の刃１７を差込み、この刃１７で１巻目をカットする形式の装置である。
【００３６】
また、蓋１６は、蓋底部２４を巻紙の一上面部２５に接触させ、蓋端部２６を蓋固定軸２７に固定し、この蓋固定軸２７を左右一対のスイング腕部材５１、５１に結合することで、スイング腕部材５１、５１に掛け渡される。
【００３７】
さらに、巻紙１８は、回転板連結軸２８及び蓋端部２６を介して刃１７の上側から巻紙１８の先端部１９を被せた状態で使用状態として待機する。
２２は支軸支え、２３は巻紙１８の巻胴、５２はスイング腕部材連結軸、３３は基部側面窓、３４、３５は固定ねじである。
【００３８】
図１０はスイング腕と蓋を下方位置に置いて巻紙の取付けから蓋の上方位置への移動の初期を示す作用図である。
（ａ）は巻紙１８を紙巻器基部１１に入れる前のスイング腕部材５１及び蓋１６の状態を示す図であり、紙巻器基部１１にスイング腕部材連結軸５２を介して取付けたスイング腕部材５１と蓋固定軸２７に取付けた蓋１６を下方位置に置いた場合を示す。（ａ）は、スイング腕部材５１とスイング腕部材５１に取付けた蓋固定軸２７に固定した蓋１６が下方位置にあり、新しい巻紙１８を矢印Ｊの如く移動させ、巻胴２３を支軸支え２２に取付けた支軸２１に取付ける前の状態を示す。
なお、５３、５４はスイング腕部材５１を上方位置に固定する場合のスイング腕部材固定軸である。
【００３９】
（ｂ）は巻紙１８の巻胴２３と支軸２１が接触し、巻胴２３が支軸２１を（ａ）の状態から９０°垂直方向へ押し動かし、巻胴２３と支軸２１が嵌合する直前の状態を示す。
【００４０】
（ｃ）は巻胴２３と支軸２１が嵌合して巻紙１８の取付けを完了した後で、巻紙１８の先端部１９を矢印Ｋの如く引出し、スイング腕部材５１とスイング腕部材５１の蓋固定軸２７に取付けた蓋１６を矢印Ｌの如く上方へ回転させる初期段階を示す。
【００４１】
このように、巻紙１８の先端部１９を矢印Ｋのように引出してからスイング腕部材５１と蓋１６を一緒に矢印Ｌの如く回転させて上方へ移動させるので、後で記述するが、巻紙１８は回転板連結軸２８を介して蓋１６の刃１７の上方に接触した使用状態で先端部１９を待機させることができる。
また、蓋１６をスイング腕部材５１に掛け渡したので、蓋１６はスイング腕部材５１の回転と共に下方位置から上方位置に動かすことができる。
【００４２】
図１１はスイング腕部材と蓋を上方位置へ移動して固定し巻紙の先端部を切取る作用図である。
（ａ）は蓋１６が下方位置から上方位置へ動きだし、下方位置から上方位置への移動のほぼ中間位置にある状態を示す。スイング腕部材５１の蓋固定軸２７に取付けた蓋１６は、スイング腕部材５１の回転と共に刃１７を巻紙１８の先端部１９と接触させながら、さらに矢印Ｍの如く回転して上方位置に移動する。
【００４３】
（ｂ）は蓋１６を上方位置に固定しスイング腕部材５１の端部を図１１（ａ）に示したスイング腕部材固定軸５３、５４に嵌合した状態を示す（図１１（ｂ）では図示できないが、蓋固定軸２７及び回転板連結軸２８の後側のスイング腕部材５１の裏面の一部をスイング腕部材固定軸５３、５４に嵌合する）。すなわち、スイング腕部材５１の蓋固定軸２７に取付けた蓋１６の刃１７に接触する巻紙１８の先端部１９は、いつでも使用できる状態で待機する。
【００４４】
（ｃ）は上方位置に固定した蓋１６の刃１７に接触した巻紙１８の先端部１９を矢印Ｎの如く引出して、矢印Ｐの如く切取る作用を示す。
【００４５】
以上のように、スイング腕部材５１の蓋固定軸２７に取付けた蓋１６は、スイング腕部材５１の回転動作と共に下方位置から上方位置へ移動でき、巻紙１８の先端部１９を直ぐに使用できる状態に待機させることができる。
また、スイング腕部材５１はＵ字状で部品面積が小さくても可動できるため、製造コストを低減したコンパクトな部材として利用できる。  
【００４６】
尚、本発明の紙巻器では、蓋１６を回転板２０やスイング腕部材５１に掛け渡したが、蓋１６と一体として回転し耐久性を考慮したものであれば、回転板２０やスイング腕部材５１の細かな形状や材質は問題としない。
【００４７】
また、蓋１６の形状は、回転する際に、巻紙１８や基部上面１４に異常に接触しなければ自由である。蓋１６の材質は、ステンレス鋼、樹脂、その他耐久性を有し、刃１７を加工できるものであれば特に問題ない。
【産業上の利用可能性】
【００４８】
本発明の紙巻器は、トイレットペーパーやキッチンペーパーなどの巻紙の紙巻器として利用できる。
【図面の簡単な説明】
【００４９】
【図１】本発明に係る紙巻器の斜視図である。
【図２】図１の断面図である。
【図３】図１の縦断面図である。
【図４】図３の４−４矢視図である。
【図５】回転板と基部側面部との結合を説明する分解斜視図である。
【図６】蓋を下方位置に置いて巻紙の取付けから蓋の上方位置への移動の初期を示す作用図である。
【図７】蓋を上方位置へ移動して固定し巻紙の先端部を切取る作用図である。
【図８】図１の別実施例を示す図である。
【図９】図８の断面図である。
【図１０】スイング腕と蓋を下方位置に置いて巻紙の取付けから蓋の上方位置への移動の初期を示す作用図である。
【図１１】スイング腕部材と蓋を上方位置へ移動して固定し巻紙の先端部を切取る作用図である。
【図１２】従来の技術の基本構成を説明する図である。
【図１３】図１２の作用を説明する図である。
【符号の説明】
【００５０】
１０…紙巻器  、１１…紙巻器基部  、１３…壁  、１６…蓋  、１７…刃  、１８…  巻紙、１９…先端部  、２０…回転板  、２１…支軸  、２３…巻胴  、４２…貫通穴  、４３…貫通穴  、４４…スライド溝  、４５…ストッパー  、４６…ピン  、５０…紙巻器  、５１…スイング腕部材。
【図１】
2005230104.tif 000003
【図２】
2005230104.tif 000004
【図３】
2005230104.tif 000005
【図４】
2005230104.tif 000006
【図５】
2005230104.tif 000007
【図６】
2005230104.tif 000008
【図７】
2005230104.tif 000009
【図８】
2005230104.tif 000010
【図９】
2005230104.tif 000011
【図１０】
2005230104.tif 000012
【図１１】
2005230104.tif 000013
【図１２】
2005230104.tif 000014
【図１３】
2005230104.tif 000015